(57)【要約】【課題】長時間の練習や演奏等により起因される手や腕に係る負担が緩和できると共に安定したギターの保持が得られる、ギター用肘セッティングを提供する。【解決手段】被載置体２と、当該被載置体２に取着する被載置体ベース板３と、当該被載置体ベース板３の下面に固定されると共に垂直下方に延伸した位置調節杆４から成る被載置部１５と、ギター胴部９に挟着片１０を挟着するための挟着杆１１と当該挟着杆１１を締付ける挟着杆締付けボルト７と、上記被載置体２及びギター胴部９側板間のスタンスを調節可能とする被載置部立設ヘッド８及び位置調節杆４を所定位置で締付け固定する位置調節杆締付けボルト５を有した胴部挟着部６から成る。【選択図】図１
2006047521.tif 000002
【特許請求の範囲】
【請求項１】
ギター奏者の弾き手側肘と脇間に介在される被載置体と、当該被載置体を取着する被載置体ベース板と、当該被載置体ベース板の下面に固定されると共に垂直下方に延伸した位置調節杆から成る被載置部と、ギター胴部に挟着する挟着手段と上記被載置体及びギター胴部側板間のスタンスを調節可能とする調節手段を有したギター胴部挟着部から成ることを特徴とする、ギター用肘セッティング。
【請求項２】
ギター奏者の弾き手側肘と脇間に介在される被載置体と、当該被載置体を取着する被載置体ベース板と、当該被載置体ベース板の下面に固定されると共に垂直下方に延伸した位置調節杆から成る被載置部と、ギター胴部に吸着する吸着手段と上記被載置体及びギター胴部側板間のスタンスを調節可能とする調節手段を有したギター胴部吸着部から成ることを特徴とする、ギター用肘セッティング。
【発明の詳細な説明】
【技術分野】
【０００１】
本発明は、長時間の練習や演奏等により起因される手や腕に係る負担が緩和できると共にギター演奏者の弾き手側肘をギターの響鳴箱の上方好位置に安定的にセッティングするための、ギター用肘セッティングに関するものである。
【背景技術】
【０００２】
楽器として親しまれているギターは、１５〜１６世紀のルネッサンスに４コースギターとして登場し、その後１７世紀にかけて５コースのバロックギターが一般に広がり、更に１８世紀の終わり頃には６単弦のギターが作られるようになり、それによって演奏技術や作曲が飛躍的に向上したと言われている。また、このような歴史変遷を経て現代のクラシックギターの基礎がほぼ完成したと考えられるが、この楽器が既に４００年以上の長い歴史を持つ理由には、クラシックギター独特の形状に負うところが大きいと考えられる。
ここで、上記クラシックギターの演奏姿勢には奏者それぞれに大きな違いがあり、また一方ではギター奏者の中には、手根管症候群、肘部管症候群、腱炎、ドケルバン病（狭窄性腱鞘炎）、ばね指、撥ね指等の手や腕に係る障害を持つ者も少なくないと知られている。
【０００３】
そこで、近年には上記のような障害を緩和するための目的もあって、幾つかのギター用補助具が提案され、また市販されている。例えば、ギターの棹側を高く保持した状態で演奏するためのものであり、高さが調節可能な折り畳み式の公知の足台と共に使用し、奏者の左腿上に載る形状の曲面板の中央部から上方に、支柱を突設すると共に当該支柱の上端にギターを挟持するクランプを取り付けたものがある。ここで、上記のようなギター用補助具を使用すると、従来椅子に座ってギターを演奏する場合に、体を捻った状態であるものを骨盤の歪みを減少させ正しい姿勢に戻すことができるという指摘がある。
【０００４】
しかしながら、前述のギターの棹側を高く保持した状態で演奏するための補助具は、上記のように奏者の体が捻れた状態であるものについて骨盤の歪みを減少させ正しい姿勢に戻すことで、安定した演奏姿勢を確保できるという効果はあるが、前記のような手根管症候群、肘部管症候群、腱炎、ドケルバン病（狭窄性腱鞘炎）、ばね指、撥ね指等の手や腕に係る障害を緩和させることに対しては直接的な効果は認め難いものであった。
【特許文献１】特開平１１−２４９６４７号公報
【発明の開示】
【発明が解決しようとする課題】
【０００５】
上記背景技術の項に記載のように、既に公知のギター用補助具は、ギター奏者の体の捻れに着目し骨盤の歪みを減少させ正しい姿勢に戻すことで、安定した演奏姿勢を確保しようという観点から成されたものであり、ギター奏者に多い手根管症候群、肘部管症候群、腱炎、ドケルバン病（狭窄性腱鞘炎）、ばね指、撥ね指等の手や腕に係る障害を改善させようという観点に立つものではないという欠点があった。
【０００６】
また、上記手や腕に係る障害からの回復には長時間を要し、上肢の渦流浴、半導体レーザー、キセノン治療器などにより、患部の血行改善、瘢痕の除去などが行なわれるものであるが、重度の障害の場合には楽器の演奏を断念せざるを得ない場合もあった。そのような理由から、多くのギター奏者からはこれらの手や腕に係る障害の発生を極力緩和できるようなギター用補助具の提案が強く要望されている。
【０００７】
そこで本発明は、上記従来の技術の項に記載の欠点等に鑑み成されたものであり、長年の研究と実験結果から、通常は奏者（右手が利き手である奏者）が椅子に座して演奏する際、右腿上でギターの８字形の響鳴箱の下部を受け、左手で棹を支える一方、右肘でギターの響鳴箱の膨らみの角を抑え、フリーとなっている右指で弦を弾いているものであるが、上記ギターの響鳴箱の膨らみ箇所と略右肘間に補助具を介在させると共に当該補助具の被載置体に肘から腕に至る部位を載置してギターを保持するようにすれば、手や腕に係る負担を顕著に軽減できるとの知見を得た。本発明は、それらの知見に基づき成されたものであり、本発明の目的は、長時間の練習や演奏等により起因される手や腕に係る負担が緩和できると共に安定したギターの保持が得られる、ギター用肘セッティングの提供を目的とするものである。
【課題を解決するための手段】
【０００８】
上記目的を達成するため本発明に係るギター用肘セッティングは、奏者の弾き手側肘と脇間に介在される被載置体と、当該被載置体を取着する被載置体ベース板と、当該被載置体ベース板の下面に固定されると共に垂直下方に延伸した位置調節杆から成る被載置部と、ギター胴部に挟着する挟着手段と上記被載置体及びギター胴部側板間のスタンスを調節可能とする調節手段を有したギター胴部挟着部から成ることを第一の要旨とする。
【０００９】
更に、本発明に係るギター用肘セッティングは、ギター奏者の弾き手側肘と脇間に介在される被載置体と、当該被載置体を取着する被載置体ベース板と、当該被載置体ベース板の下面に固定されると共に垂直下方に延伸した位置調節杆から成る被載置部と、ギター胴部に吸着する吸着手段と上記被載置体及びギター胴部側板間のスタンスを調節可能とする調節手段を有したギター胴部吸着部から成ることを第二の要旨とする。
【発明の効果】
【００１０】
ここで、本発明に係るギター用肘セッティングを採用すれば、長時間の練習や演奏等により起因される手や腕に係る負担が緩和できると共に安定したギターの保持が得られるという効果がある。
【発明を実施するための最良の形態】
【００１１】
本発明に係るギター用肘セッティングは、ギターの響鳴箱の膨らみ箇所と弾き手側の略肘間に当該ギター用肘セッティングを介在させると共に上記ギター用肘セッティングの被載置体を弾き手側の肘と脇間に軽く挟み込むようにして介在させ、また当該被載置体に肘から腕に至る部位を載置してギターを保持するようにする。
【実施例１】
【００１２】
以下、本発明に係るギター用肘セッティングについて、実施例に基づき詳説するものとする。先ず、図１は、本発明に係るギター用肘セッティングの概要を示した正面図、図２は図１の位置調節杆を下方に押し下げた際の正面図、図３は図１の左側面図、図４は図３において挟着杆を拡張した際の左側面図である。図示のように、本発明に係るギター用肘セッティング１は、ギター奏者の弾き手側肘と脇間に介在される被載置体２と、当該被載置体２に取着する被載置体ベース板３と、当該被載置体ベース板３の下面に固定されると共に垂直下方に延伸した位置調節杆４から成る被載置部１５と、ギター胴部９に挟着片１０を挟着するための挟着杆１１と当該挟着杆１１を締付ける挟着杆締付けボルト７と上記被載置体２とギター胴部９側板間のスタンスを調節可能とする被載置部立設ヘッド８及び位置調節杆４を所定位置で締付け固定する位置調節杆締付けボルト５を有した胴部挟着部６から成るものである。
また、本発明に係るギター用肘セッティング１においては、図２のように位置調節杆締付けボルト５の操作により、位置調節杆４を下方に押し下げることによって被載置体２とギター胴部９側板間のスタンスを調節可能とすることができる。
更に、図４に図示のように挟着杆締付けボルト７の操作により、挟着杆１１を拡張することによってギター用肘セッティング１はギター胴部９に対する挟着を解くことができる。続いてまた、本発明に係るギター用肘セッティング１は、ギター奏者の指向に従い上記位置調節杆締付けボルト５及び挟着杆締付けボルト７の締付け位置を自由に変更可能とするものである。
【００１３】
続いて、図５は被載置体ベース板の下面に固定された位置調節杆の正面図、図６は図５の左側面図である。更に、図７は被載置体に取着する被載置体ベース板の関係を上方から示した概要図であり、図示のように、被載置体２は上記被載置体ベース板３に固定軸ボルト１４及び被載置部調節ボルト１３の二つのボルトで固定されている。ここで、上記被載置体ベース板３には長孔１２が設けられており、当該長孔１２に対する被載置部調節ボルト１３の締付け位置を変えることにより、被載置体２の水平方向の載置角度が変わるように工夫されている。
【実施例２】
【００１４】
一方、図８は本発明に係る別のギター用肘セッティングの概要を示した正面図、図９は図８の位置調節杆を下方に押し下げた際の正面図、図１０は図８の左側面図である。図示のように、本発明に係る別のギター用肘セッティング５０は、ギター奏者の弾き手側肘と脇間に介在される被載置体５１と、当該被載置体５１に取着する被載置体ベース板５２と、当該被載置体ベース板５２の下面に固定されると共に垂直下方に延伸した位置調節杆５３から成る被載置部６１と、横面吸着盤５７と縦面吸着盤５８を具備し当該各吸着盤によってギター胴部５９に吸着する吸着板５６と上記被載置体５１とギター胴部５９側板間のスタンスを調節可能とする被載置部立設ヘッド５５及び位置調節杆５３を所定位置で締付け固定する位置調節杆締付けボルト５４を有した胴部吸着部６０から成るものである。
更に、図示しないながらも横面吸着盤５７と縦面吸着盤５８を通常の吸盤の操作により付け変えることにより、別のギター用肘セッティング５０はギター胴部５９に対する吸着を解くことができる。続いてまた、本発明に係る別のギター用肘セッティング５０は、ギター奏者の指向に従い上記位置調節杆締付けボルト５４の締付け位置及び吸着板５６の吸着位置を自由に変更可能とするものである。
また、図示しないながらも別のギター用肘セッティング５０は前述のギター用肘セッティング１同様に、被載置体ベース板５２に長孔を設け、当該長孔に対する被載置部調節ボルトの締付け位置を変えることにより、被載置体５１の水平方向の載置角度を変更できる技術手段を付加することもできる。
【産業上の利用可能性】
【００１５】
本発明に係るギター用肘セッティングによれば、長時間の練習や演奏等により起因される手や腕に係る負担が緩和できると共に安定したギターの保持が得られるものであるから、ギター奏者の手や腕に係る障害の予防と、障害の緩和に対して効果が期待できる。更に、ギターに係る入門者についても、本発明に係るギター用肘セッティングを使用して練習を重ねるようにすれば、安定した姿勢の保持と手や腕に係る負担を緩和することができるので、格段の進歩が期待できるものでもある。
【図面の簡単な説明】
【００１６】
【図１】本発明に係るギター用肘セッティングの概要を示した正面図。
【図２】図１の位置調節杆を下方に押し下げた際の正面図。
【図３】図１の左側面図。
【図４】図３において挟着杆を拡張した際の左側面図。
【図５】被載置体ベース板の下面に固定された位置調節杆の正面図。
【図６】図５の左側面図。
【図７】被載置体に取着する被載置体ベース板の関係を上方から示した概要図。
【図８】本発明に係る別のギター用肘セッティングの概要を示した正面図。
【図９】図８の位置調節杆を下方に押し下げた際の正面図。
【図１０】図８の左側面図。
【符号の説明】
【００１７】
１              ギター用肘セッティング
２、５１        被載置体
３、５２        被載置体ベース板
４、５３        位置調節杆
５、５４        位置調節杆締付けボルト
６              胴部挟着部
７              挟着杆締付けボルト
８、５５        被載置部立設ヘッド
９、５９        ギター胴部
１０            挟着片
１１            挟着杆
１２            長孔
１３            被載置部調節ボルト
１４            固定軸ボルト
１５、６１      被載置部
５０            別のギター用肘セッティング
５６            吸着板
５７            横面吸着盤
５８            縦面吸着盤
６０            胴部吸着部
【図１】
2006047521.tif 000003
【図２】
2006047521.tif 000004
【図３】
2006047521.tif 000005
【図４】
2006047521.tif 000006
【図５】
2006047521.tif 000007
【図６】
2006047521.tif 000008
【図７】
2006047521.tif 000009
【図８】
2006047521.tif 000010
【図９】
2006047521.tif 000011
【図１０】
2006047521.tif 000012